(57)【要約】【課題】ブロック本体の厚さ寸法をさほど増大させなくても植物の根の誘導スペースを確保できるようにして、運搬コストの増加や施工性の悪化を招来することなく、植物の生育に適さない地山に対しても緑化対策を講じることができる法面緑化用コンクリートブロックを提供する。【解決手段】植生用の客土５を収納可能となるようにブロック本体９の表面から厚さ方向に凹んだ収納凹部６が当該ブロック本体２の表面側に形成されている法面緑化用コンクリートブロックにおいて、収納凹部６の底部と連通する収納孔７をブロック本体２の面内方向に延びた状態で形成する。【選択図】      図１
2004285683.tif 000002
【特許請求の範囲】
【請求項１】
植生用の客土（５）を収納可能となるようにブロック本体（２）の表面から厚さ方向に凹んだ収納凹部（６）が当該ブロック本体（２）の表面側に形成されている法面緑化用コンクリートブロックにおいて、
前記収納凹部（６）の底部と連通する収納孔（７）が前記ブロック本体（２）の面内方向に延びた状態で形成されていることを特徴とする法面緑化用コンクリートブロック。
【請求項２】
収納孔（７）は、ブロック本体（２）の幅方向一端面から他端面に渡って当該ブロック本体（２）を貫通した形状に形成されている請求項１に記載の法面緑化用コンクリートブロック。
【請求項３】
収納孔（７）は、収納凹部（６）の底部からブロック本体（２）の一端面に渡って当該ブロック本体（２）を貫通した形状に形成されている請求項１に記載の法面緑化用コンクリートブロック。
【請求項４】
収納孔（７）は、収納凹部（６）の底部からブロック本体（２）の裏面に渡って当該ブロック本体（２）を貫通しており、かつ、そのブロック本体（２）の厚さ方向に対して傾斜した形状に形成されている請求項１に記載の法面緑化用コンクリートブロック。
【請求項５】
ブロック本体（２）は、表面側がポーラスコンクリート層（３）でかつ裏面側が普通コンクリート層（４）よりなる二層構造となっている請求項１〜５のいずれかに記載の法面緑化用コンクリートブロック。
【発明の詳細な説明】
【０００１】
【発明の属する技術分野】
本発明は、河川の堤防や道路脇の擁壁等の法面を緑化するための法面緑化用コンクリートブロックに関するものである。
【０００２】
【従来の技術】
従来より、河川の護岸工事や、道路ないし鉄道建設に際する擁壁工事等において、縦横に並ぶ多数のコンクリートブロックで法面を被覆して安定化させるブロック工法が採用されており、かかるブロック工法においては、コンクリートブロックがそのまま露出することに伴う周囲の景観との不調和を防止するために、当該ブロックの表面に植物を根付かせる緑化対策が進められている。
【０００３】
そのような緑化対策の一つとして、植生用の客土が収納可能となるように厚さ方向に凹んだ収納凹部がポーラスコンクリート製のブロック本体の表面に形成されたコンクリートブロックを使用するものがある。この場合、上記収納凹部に収納した客土に植物を植え付けると、その植物の根がポーラスコンクリートよりなるブロック本体を通過して地山に達するため、ブロック本体が地山に一体化されて法面の安定化機能がより強化されるものとされている（特許文献１参照）。
【０００４】
しかるに、上記のように単にブロック本体の表面に客土の収納凹部を形成するだけでは、地山が砂礫層であったり既設のコンクリート構造物である場合には、客土に植え付けられた植物の根が十分に成長せず、その植物が比較的早期に枯れてしまうことがある。そこで、ブロック本体の裏面側に、植生用の客土の収納凹部に対して厚さ方向に隔たりをもって土壌材層を配置し、客土に植え付けた植物の根を土壌材層に誘導することにより、植物の生育に適さない地山に対しても緑化対策を講じることができるコンクリートブロックが開発されている（特許文献２参照）。
【０００５】
【特許文献１】
特開平１１−１１７２５９号公報（請求項１）
【特許文献２】
特開平１１−１１７３３４号公報（請求項１）
【０００６】
【発明が解決しようとする課題】
しかしながら、上記従来のコンクリートブロックでは、客土の収納凹部と土壌材層が厚さ方向に隔たりをもって配置されているので、専らブロック本体の厚さ寸法が大きくなって重量が過大になる恐れがある。このため、従来のコンクリートブロックでは、運搬コストが高くなるとともに、施工現場への搬入作業や法面への設置作業が行い難く、施工性が悪くなるという欠点がある。
【０００７】
本発明は、このような実情に鑑み、ブロック本体の厚さ寸法をさほど増大させなくても植物の根の誘導スペースを確保できるようにして、運搬コストの増加や施工性の悪化を招来することなく、植物の生育に適さない地山に対しても緑化対策を講じることができる法面緑化用コンクリートブロックを提供することを目的とする。
【０００８】
【課題を解決するための手段】
上記目的を達成すべく、本発明は次の技術的手段を講じた。
すなわち、本発明は、植生用の客土を収納可能となるようにブロック本体の表面から厚さ方向に凹んだ収納凹部が当該ブロック本体の表面側に形成されている法面緑化用コンクリートブロックにおいて、前記収納凹部の底部と連通する収納孔が前記ブロック本体の面内方向に延びた状態で形成されている特徴とするものである。
【０００９】
本発明に係るコンクリートブロックによれば、収納凹部の底部と連通する収納孔が形成されているので、収納孔に客土や保水材等を充填することで、その収納孔を植物の根の誘導スペースとして利用することができるとともに、かかる収納孔は、収納凹部の底部と連通しかつブロック本体の面内方向に延びた状態で形成されているので、当該収納孔を形成してもブロック本体の厚さ寸法がそれほど増大することはない。
このため、ブロック本体の厚さ寸法の増大に伴う運搬コストの上昇や施工性の悪化を回避できるとともに、収納凹部に連通する収納孔を植物の根の誘導スペースとして利用することによって、植物の生育に適さない地山に対しても緑化対策を効果的に施すことができるようになる。
【００１０】
本発明において、収納孔は、収納凹部の底部と連通しかつブロック本体の面内方向に延びた状態で形成されておればよく、特に具体的な構造に限定されるものではないが、例えば、ブロック本体の幅方向一端面から他端面に渡って当該ブロック本体を貫通した形状に形成することができる。かかる形状の収納孔とした場合には、その収納孔を成形するための中子の形状や、その中子のコンクリート型枠に対する取り付け構造が単純になるので、コンクリートブロックの製造コストを低減することができる。
また、前記収納孔は、収納凹部の底部からブロック本体の一端面に渡って当該ブロック本体を貫通した形状に形成することもできるし、同収納孔は、収納凹部の底部からブロック本体の裏面に渡って当該ブロック本体を貫通しており、かつ、そのブロック本体の厚さ方向に対して傾斜した形状に形成することもできる。
【００１１】
本発明において、前記ブロック本体は、内部に連続した空隙を有するポーラスコンクリートや、かかる空隙を有しない普通コンクリートのみから構成することもできるが、表面側がポーラスコンクリート層でかつ裏面側が普通コンクリート層よりなる二層構造となっていることが好ましい。かかる二層構造のブロック本体を採用すれば、ブロック本体の表面側に位置する客土に植え付けられた植物の根がポーラスコンクリート層の空隙にも入り込んで成長し続けるため、植物がより確実に生育するとともに、裏面側の普通コンクリート層によってブロック本体の全体的な強度を向上することができる。
【００１２】
【発明の実施の形態】
以下、図面に基づいて、本発明の実施の形態を説明する。
図１は本発明の第一実施形態に係る法面緑化用コンクリートブロックを示し、図２はその施工例であるコンクリート擁壁を示している。
同図に示すように、本実施形態のコンクリートブロック１は、平面視正方形の厚板状のブロック本体２よりなり、このブロック本体２は、ほぼ同じ厚さの正方形状のポーラスコンクリートと普通コンクリートとを互いに重合させて接合することにより、表面側がポーラスコンクリート層３でかつ裏面側が普通コンクリート層４よりなる二層構造となっている。
【００１３】
このブロック本体２の表面には、植生用の客土５を内部に収納することができるように当該ブロック本体２の表面から厚さ方向に凹んだ複数の収納凹部６が形成されている。この収納凹部６は、ブロック本体２の四隅側に振り分けて合計四つ設けられており、当該ブロック本体２の厚さ寸法のほぼ半分の深さを有する円形溝よりなる。
また、上記ブロック本体２の内部には、収納凹部６の底部と連通する収納孔７が同ブロック本体２の面内方向に延びた状態で形成されている。本実施形態の収納孔７は、ブロック本体２の幅方向一端面から他端面に渡って当該ブロック本体２を貫通するように形成された、断面円形状でかつ真っ直ぐに延びる丸孔よりなり、この収納孔７は合計二本設けられている。
【００１４】
二本の各収納孔７は、互いに隣接する上下二つの収納凹部６の中心部を通過する平面位置に配置され、かつ、当該収納孔７の断面中心がポーラスコンクリート層３と普通コンクリート層４の接合面と同じ深さとなる厚さ方向位置に配置されている。また、この各収納孔７は、その内部に客土５やヤシガラ等よりなる保水材８を充填することができる断面寸法に設定されている。
なお、本実施形態のコンクリートブロック１は、スランプがゼロの固練りのフレッシュコンクリートを振動させながら圧縮して締め固め、成形直後に型枠から即時に脱型する即時脱型法によって製造することができる。
【００１５】
図２に示すように、上記構成に係るコンクリートブロック１は、例えば、既設のコンクリート擁壁９の法面（傾斜面）上に縦横に並べて設置することにより、当該法面を被覆するようにして施工される。図２に示す施工例では、各ブロック１の収納孔７内に保水材８が充填されており、収納凹部６の内部に充填した客土５に草類等の植物１０を植え付けることにより、コンクリート擁壁９の法面が緑化されている。
【００１６】
このように、本実施形態のコンクリートブロック１によれば、収納凹部６の底部と連通する収納孔７に保水材８を充填することで、その収納孔７を植物の根の誘導スペースとして利用することができ、植物１０の生育に適さない既設のコンクリート擁壁９に対しても緑化対策を講じることができる。また、上記収納孔７は、収納凹部６の底部と連通しかつブロック本体２の面内方向に延びた状態で形成されているので、当該収納孔７を形成してもブロック本体２の厚さ寸法がそれほど増大することがなく、コンクリートブロック１の運搬コストの上昇や施工性の悪化を回避することができる。
【００１７】
また、本実施形態のコンクリートブロック１によれば、収納孔７が、ブロック本体２の幅方向一端面から他端面に渡って当該ブロック本体２を貫通した形状に形成されているので、その収納孔７を成形するための中子やその中子のコンクリート型枠に対する取り付けを単純な構造にすることができ、この点で、コンクリートブロック１の製造コストを低減することができる。
更に、本実施形態のコンクリートブロック１では、表面側がポーラスコンクリート層３でかつ裏面側が普通コンクリート層４よりなる二層構造となっているので、ブロック本体２の表面側に位置する客土５に植え付けられた植物１０の根がポーラスコンクリート層３の空隙にも入り込んで成長し続け、これによって植物１０がより確実に生育するとともに、裏面側の普通コンクリート層４によってブロック本体２の全体的な強度を向上することができるという利点もある。
【００１８】
図３は本発明の第二実施形態に係る法面緑化用コンクリートブロックを示している。
本実施形態に係るコンクリートブロック１では、収納凹部６がブロック本体２の表面上部に三つ並んだ状態で配置されており、収納孔７は、その各収納凹部６の底部からブロック本体２の一端面に渡って当該ブロック本体２を貫通した形状に形成されている。
このため、本実施形態のコンクリートブロック１においても、植物１０の根の誘導スペースとなる収納孔７を形成しているにも拘わらず、ブロック本体２の厚さ寸法がそれほど増大させる必要がなく、運搬コストの上昇や施工性の悪化を回避することができる。
【００１９】
図４は本発明の第三実施形態に係る法面緑化用コンクリートブロックを示している。
本実施形態に係るコンクリートブロック１では、収納凹部６と収納孔７とが連続した一つの円柱状の貫通孔１１を構成するように連続的に繋がっており、この円柱状の貫通孔１１は、ブロック本体２の厚さ方向に対して傾斜した状態で、同ブロック本体２の表面から裏面に渡って当該ブロック本体２を貫通した形状に形成されている。
【００２０】
従って、貫通孔１１における表面側の一定深さの部分を収納凹部６であるとすると、本実施形態の収納孔７は、その収納凹部６の底部からブロック本体２の裏面に渡って当該ブロック本体２を貫通しており、かつ、そのブロック本体２の厚さ方向に対して傾斜した形状に形成されていることになる。なお、貫通孔１１の裏面側開口は、合成樹脂シート等より構成された裏蓋部材１２によって閉塞されている。
そして、上記のように傾斜した収納孔７を採用した本実施形態の場合においても、ブロック本体２の厚さ寸法をそれほど増大させずに植物１０の根の誘導スペースとなる収納孔７を形成することができ、運搬コストの上昇や施工性の悪化を回避することができる。
【００２１】
また、本実施形態のコンクリートブロック１によれば、収納凹部６と収納孔７を構成する貫通孔１１がブロック本体２の厚さ方向に対して傾斜しているので、図４（ｂ）に示すように、当該ブロック１を急傾斜の法面に設置した場合に収納凹部６がほぼ垂直な状態になり、このため、収納凹部６に充填した客土５や、そこに植え付けた植物１０が流出し難くなるという利点がある。
更に、本実施形態のコンクリートブロック１によれば、客土５の収納凹部６と根の誘導スペースとなる収納孔７を、連続した一つの円柱状の貫通孔１１によって構成しているので、収納凹部６と収納孔７を成形するための中子をより単純な構造にすることができるという利点もある。
【００２２】
なお、上記した実施形態はすべて例示であって制限的なものではない。本発明の範囲は特許請求の範囲によって規定され、そこに記載された構成と均等の範囲内のすべての変更も本発明に含まれる。
例えば、上記実施形態では、すべて二層構造のブロック本体２を採用しているが、同ブロック本体２をポーラスコンクリートや普通コンクリートのみから構成することにしてもよい。また、収納孔７には、ヤシガラ等の保水材８ではなく、収納凹部６に充填するのと同じ材質の客土５を充填することにしてもよい。
【００２３】
【発明の効果】
以上説明したように、本発明によれば、ブロック本体の厚さ寸法をさほど増大させなくても植物の根の誘導スペースを確保することができるので、運搬コストの増加や施工性の悪化を招来することなく、植物の生育に適さない地山に対しても緑化対策を講じることができる。
【図面の簡単な説明】
【図１】（ａ）は第一実施形態に係る法面緑化用コンクリートブロックの斜視図、（ｂ）は同ブロックの平面図、（ｃ）は同ブロックの断面図である。
【図２】図２は第一実施形態に係るコンクリートブロックの施工例であるコンクリート擁壁の斜視図である。
【図３】第二実施形態に係る法面緑化用コンクリートブロックの斜視図である。
【図４】（ａ）は第三実施形態に係る法面緑化用コンクリートブロックの斜視図、（ｂ）は同ブロックの設置状態の側面断面図である。
【符号の説明】
１      コンクリートブロック
２      ブロック本体
３      ポーラスコンクリート層
４      普通コンクリート層
５      客土
６      収納凹部
７      収納孔
【図１】
2004285683.tif 000003
【図２】
2004285683.tif 000004
【図３】
2004285683.tif 000005
【図４】
2004285683.tif 000006